(57)【要約】【課題】勾配屋根の屋根下地面に並設する緑化瓦において、下地材への植栽マットの止め付け作業を簡単に効率良く行うとともに、耐久性の向上及び現場での施工性の向上を図る。【解決手段】この緑化瓦２は、勾配屋根の屋根下地面１上に並設するものであって、屋根下地面１上に設置する下地材３に、植栽マット４・・を固定具５・・によって止め付けてなり、固定具５は、下地材３に下孔加工無しでねじ込み可能とした螺子部５２と、螺子部５２のねじ込みによって生じる下地材３の貫通孔５３部分を止水する止水部５４と、下地材３の上面に設置する植栽マット４に挿通させる棒状部５５とを一体化してなるマット装着部材５０と、このマット装着部材５０の棒状部５５における植栽マット４の上面から突出した先端部分に係合して、植栽マット４の上面を押さえ付けるマット抜止部材５１とを備えている。【選択図】図６
2010144407.tif 000002
【特許請求の範囲】
【請求項１】
勾配屋根の屋根下地面（１）上に、その勾配方向及び桁行方向に沿って並設する緑化瓦（２）であって、前記屋根下地面（１）上に設置する金属製又は合成樹脂製の下地材（３）に、植栽マット（４）・・を固定具（５）・・によって止め付けてなり、前記固定具（５）は、前記下地材（３）に下孔加工無しでねじ込み可能とした螺子部（５２）と、この螺子部（５２）のねじ込みによって生じる前記下地材（３）の貫通孔（５３）部分を止水する止水部（５４）と、前記螺子部（５２）のねじ込みによって前記下地材（３）の上面から立ち上がって、前記下地材（３）の上面に設置する前記植栽マット（４）に挿通させる棒状部（５５）とを一体化してなるマット装着部材（５０）と、このマット装着部材（５０）の棒状部（５５）における前記植栽マット（４）の上面から突出した先端部分に係合して、前記植栽マット（４）の上面を押さえ付けるマット抜止部材（５１）とを備えたことを特徴とする緑化瓦。
【請求項２】
前記マット装着部材（５０）の螺子部（５２）は、その基端側に回転操作用の工具を係合する係合体（５６）を有する請求項１記載の緑化瓦。
【請求項３】
前記マット装着部材（５０）の止水部（５４）は、前記螺子部（５２）に外嵌固定されて、前記螺子部（５２）のねじ込みによって前記下地材（３）に圧縮状態で当接するパッキン（５７）と、このパッキン（５７）に被せられて、前記螺子部（５２）のねじ込みによって前記下地材（３）に当接することで前記パッキン（５７）の圧縮量を規制するカバー（５８）とを備えた請求項１又は２記載の緑化瓦。
【請求項４】
前記マット装着部材（５０）の棒状部（５５）は、外周面が平滑で、先細り状の先端部分を有する請求項１乃至３のいずれかに記載の緑化瓦。
【請求項５】
前記マット抜止部材（５１）は、前記棒状部（５５）の先端部分に外嵌するプッシュナットからなる請求項１乃至４のいずれかに記載の緑化瓦。
【請求項６】
前記下地材（３）は、勾配方向に隣接する軒側下地材（３）の棟側端部（２１）に係合する軒側端部（２０）と、勾配方向に隣接する棟側下地材（３）の軒側端部（２０）に係合する棟側端部（２１）と、これら軒側端部（２０）と棟側端部（２１）を連結するマット設置部（２２）とを備え、前記屋根下地面（１）と前記マット設置部（２２）との間に隙間をあけるようにして、前記屋根下地面（１）上に設置する請求項１乃至５のいずれかに記載の緑化瓦。
【請求項７】
前記植栽マット（４）は、苔を植え付けた苔マットからなる請求項１乃至６のいずれかに記載の緑化瓦。
【発明の詳細な説明】
【技術分野】
【０００１】
この発明は、戸建住宅等の勾配屋根に並設される緑化瓦に関する。
【背景技術】
【０００２】
近年、都市部においては、建物自体や街並みの美観向上、住居者や近隣への癒し効果、建物内の温度環境の改善、ＣＯ２の削減（固定化）やヒートアイランド現象の緩和等を目的として、建物の緑化対策が進められている。この建物の緑化対策としては、建物の屋上面において植物を植栽した屋上緑化、建物の外壁面において植物を植栽した壁面緑化が一般であり、また戸建住宅の勾配屋根において植物を植栽する勾配屋根緑化も見受けられる。
【０００３】
勾配屋根緑化に際しては、勾配屋根の屋根下地面上に、植栽マットを直接設置する場合と、勾配屋根の屋根下地面上に、下地材に植栽マットを設置してなる緑化瓦を順次並設する場合がある。いずれの場合においても、勾配方向への植栽マットの滑り、或いは、強風や激しい降雨、施工時やメンテナンス時の踏み付け等による植栽マットの局部的な盛り上がりや捲れ上がりを防止するために、植栽マットの安定した止め付けが必要不可欠となる。
【０００４】
前者（植栽マット直付け）の場合、例えば特許文献１に開示されているように、屋根下地面上に植栽マットを設置して、その植栽マットの上方から差し込んだ複数のビスを屋根下地面にねじ込むことで、植栽マットを屋根下地面に止め付けたり、また特許文献２に開示されているように、屋根下地面上に複数のボルトを立設して、それらボルトを植栽マットに挿通させながら植栽マットを屋根下地面に設置して、植栽マットの上面から突出したボルトの先端部分にナットを螺合して植栽マットの上面を押さえ付けることで、植栽マットを屋根下地面に止め付けるようにしている。
【０００５】
ところが、特許文献１に開示されているように、屋根下地面にビスをねじ込むと、屋根下地面の防水層を傷付けてしまうといった不具合があった。特に、屋根下地面の広範囲に亘って植栽マットを止め付ける場合、屋根下地面にねじ込むビスの本数が増大することから、屋根下地面の防水層の損傷が激しくなり、雨漏りの原因となる恐れがあった。
【０００６】
また、特許文献２に開示されているように、屋根下地面にボルトを立設するには、屋根下地面に対してナットを埋め込むといったような面倒な加工が必要となり、屋根下地面の防水層を傷付けてしまうだけでなく、構造が複雑になって施工費の高騰を招くといった不具合があった。
【０００７】
これに対して、後者（緑化瓦使用）の場合には、下地材に植栽マットを設置してなる緑化瓦を屋根下地面上に並設していることから、上記のようにビスやボルトを用いて、屋根下地面ではなく下地材に対して植栽マットを止め付けるようにすることで、屋根下地面の防水層を傷付けたり、屋根下地面に面倒な加工を施すことなく、植栽マットを止め付けることができる。
【０００８】
【特許文献１】特開２００３−２２５０１６号公報
【特許文献２】特開２００４−１２４５４３号公報
【発明の開示】
【発明が解決しようとする課題】
【０００９】
しかしながら、後者（緑化瓦使用）の場合において、下地材に植栽マットを設置して、その植栽マットの上方から差し込んだ複数のビスを下地材に単にねじ込むようにすると、下地材に貫通孔が形成されて、この貫通孔部分に植栽マットに含まれる水分が浸透し易くなる。このような状況において、特に下地材とビスとが異種金属（例えば下地材が鋼材、ビスがステンレス）からなる場合、これら異種金属同士が接触する貫通孔部分に水分が浸透すると、異種金属接触腐食が生じて、ビスがぐらついたり、場合によって下地材から抜け出てしまうといった不具合があった。しかも、植栽マットへのビスの差し込みに際して、ビスの螺子部分に植栽マットに含まれる砂利や定着用繊維、植物の根等が噛み込んで、その後のビスのねじ込みに支障をきたすことが多く、作業性が悪いといった不具合もあった。
【００１０】
一方、後者（緑化瓦使用）の場合において、下地材上に複数のボルトを立設して、それらボルトを植栽マットに挿通させながら植栽マットを下地材に設置して、植栽マットの上面から突出したボルトの先端部分にナットを螺合して植栽マットの上面を押さえ付けるようにすると、ボルトを立設するためには、ボルトを下地材に溶接したり、下地材に形成した挿通孔へ下地材の裏面側からボルトを差し込むといったように、依然として面倒な溶接作業や下孔加工が必要であった。しかも、立設したボルトの植栽マットへの挿通に際して、ボルトの螺子部分に植栽マットに含まれる砂利や定着用繊維、植物の根等が噛み込んで、その後のナットの螺合に支障をきたすことが多く、作業性が悪いといった不具合もあった。さらに、下地材に形成した挿通孔へボルトを差し込んで立設させる場合には、上記のような異種金属接触腐食の問題が生じるだけでなく、植栽マットの止め付けに際して、下地材の表裏面の両側からの作業を伴うことから、作業効率の悪化を招くとともに、予め工場等において下地材に植栽マットを止め付けておくことが基本となり、屋根下地面上に下地材を先に設置して、後から植栽マットを止め付けるといった状況に応じた現場施工も困難となるといった不具合もあった。
【００１１】
この発明は、上記不具合を解消して、勾配屋根の屋根下地面に並設する緑化瓦において、その下地材への植栽マットの止め付け作業を簡単に効率良く行うとともに、耐久性の向上及び現場での施工性の向上を図ることを目的とする。
【課題を解決するための手段】
【００１２】
上記課題を解決するため、この発明の緑化瓦２は、勾配屋根の屋根下地面１上に、その勾配方向及び桁行方向に沿って並設するものであって、前記屋根下地面１上に設置する金属製又は合成樹脂製の下地材３に、植栽マット４・・を固定具５・・によって止め付けてなり、前記固定具５は、前記下地材３に下孔加工無しでねじ込み可能とした螺子部５２と、この螺子部５２のねじ込みによって生じる前記下地材３の貫通孔５３部分を止水する止水部５４と、前記螺子部５２のねじ込みによって前記下地材３の上面から立ち上がって、前記下地材３の上面に設置する前記植栽マット４に挿通させる棒状部５５とを一体化してなるマット装着部材５０と、このマット装着部材５０の棒状部５５における前記植栽マット４の上面から突出した先端部分に係合して、前記植栽マット４の上面を押さえ付けるマット抜止部材５１とを備えたことを特徴としている。
【００１３】
また、前記マット装着部材５０の螺子部５２は、その基端側に回転操作用の工具を係合する係合体５６を有している。
【００１４】
さらに、前記マット装着部材５０の止水部５４は、前記螺子部５２に外嵌固定されて、前記螺子部５２のねじ込みによって前記下地材３に圧縮状態で当接するパッキン５７と、このパッキン５７に被せられて、前記螺子部５２のねじ込みによって前記下地材３に当接することで前記パッキン５７の圧縮量を規制するカバー５８とを備えている。
【００１５】
さらにまた、前記マット装着部材５０の棒状部５５は、外周面が平滑で、先細り状の先端部分を有し、前記マット抜止部材５１は、前記棒状部５５の先端部分に外嵌するプッシュナットからなっている。
【００１６】
また、前記下地材３は、勾配方向に隣接する軒側下地材３の棟側端部２１に係合する軒側端部２０と、勾配方向に隣接する棟側下地材３の軒側端部２０に係合する棟側端部２１と、これら軒側端部２０と棟側端部２１を連結するマット設置部２２とを備え、前記屋根下地面１と前記マット設置部２２との間に隙間をあけるようにして、前記屋根下地面１上に設置される。さらに、前記植栽マット４は、苔を植え付けた苔マットからなっている。
【発明の効果】
【００１７】
この発明の緑化瓦では、上記構成の固定具を用いて植栽マットを下地材に止め付けていることから、予め下地材に下孔加工を施す必要が無く、また、下地材の上面側からの作業だけで植栽マットを止め付けることができ、止め付け作業の効率化を図ることができる。しかも、工場等で予め下地材に植栽マットを止め付けておく必要は無く、屋根下地面上に下地材を先に設置して、後から植栽マットを止め付けるといった状況に応じた現場施工も可能となり、例えば隅棟やケラバ等の特殊な位置における緑化瓦の施工も容易となる。
【００１８】
また、固定具の螺子部を下地材にねじ込んでも、そのねじ込みによって生じる下地材の貫通孔部分を止水部によって止水することから、螺子部と下地材とが異種金属からなる場合であっても、これら異種金属同士が接触する貫通孔部分への水分の浸透を阻止して、異種金属接触腐食を防止することができる。これにより、固定具の取付強度を良好に維持して、長期間に亘って植栽マットを安定して止め付けることができる。
【００１９】
さらに、下地材の上面への植栽マットの設置に際して、螺子部ではなくて、下地材の上面から立ち上がった棒状部を植栽マットに挿通させるようにしていることから、特に外周面が平滑で、先細り状の先端部分を有する棒状部とすることによって、従来のような異物の噛み込みをなくして、植栽マットに容易に挿通させることができ、その後の棒状部の先端部分へのプッシュナット等からなるマット抜止部材の係合も支障無く行うことができる。
【００２０】
また、螺子部の基端側に回転操作用の工具を係合する係合体を備えていることによって、工具を用いて螺子部を下地材に容易にねじ込むことができ、作業効率をより一層向上することができる。
【００２１】
さらに、止水部をパッキンとカバーとから構成して、螺子部のねじ込みに伴うパッキンの圧縮量を、カバーによって規制することによって、螺子部の過度のねじ込みによるパッキンの損傷を防止することができる。
【００２２】
また、屋根下地面上への下地材の設置状態において、屋根下地面と下地材のマット設置部との間に隙間を設けることによって、螺子部の下地材へのねじ込みに際して、下地材を貫通した螺子部の屋根下地面への干渉を防ぐことができ、従って屋根下地面の防水層を傷付けることがない。
【００２３】
さらに、植栽マットとして、苔を植え付けた苔マットを使用することで、現場施工の省力化、屋根荷重の軽量化を図ることができるとともに、灌水、施肥、刈り込み等の施工後のメンテナンスをほとんど不要とすることができる。
【発明を実施するための最良の形態】
【００２４】
以下、この発明の実施形態を図面に基づいて詳細に説明する。この発明の一実施形態に係る緑化瓦２は、図１及び図２に示すように、勾配屋根の屋根下地面１上に、その勾配方向及び桁行方向に沿って並設されるものであって、屋根下地面１上に設置される下地材３と、この下地材３の上面に止め付けられる植栽マットとして苔マット４・・とを備えている。苔は、空気中から水分や養分を摂取して生育するため、生育に際して土壌が不要であり、また水分が供給されない状態では仮死状態となり、雨水等が供給されると即座に再生するといったように乾燥に強い特性を有している。このため、苔マット４・・を使用した緑化においては、現場施工の省力化、屋根荷重の軽量化を図ることができるとともに、灌水、施肥、刈り込み等の施工後のメンテナンスをほとんど不要とすることができる。
【００２５】
屋根下地面１は、図２に示すように、野地板１０上にアスファルトルーフィング１１及びルーフテープ１２を敷設することによって構成された防水面である。
【００２６】
下地材３は、例えば軽量な鋼板を折曲形成してなり、図２及び図３に示すように、勾配方向に隣接する軒側下地材３に係合するための軒側端部２０と、勾配方向に隣接する棟側下地材３に係合するための棟側端部２１と、これら軒側端部２０と棟側端部２１を連結するマット設置部２２とを備えている。この下地材３は、勾配方向に沿った働き寸法の水平投影が約２５０ｍｍとされ、桁行方向に沿った幅寸法の水平投影が約２５００ｍｍとされていて、１ユニットを大型化している。なお、下地材３としては、鋼板製に限らず、合成樹脂製であっても良い。
【００２７】
マット設置部２２は、軒側先端が下向きにやや湾曲した略平板状に形成されていて、その勾配方向に沿った両側端においては側壁等が立ち上がっておらず開放した状態となっている。このマット設置部２２の裏面には、図２乃至図４に示すように、例えば合成樹脂製の発泡体からなる肉厚の断熱材１３が取り付けられている。この断熱材１３は、下地材３を屋根下地面１上に設置したときに、屋根下地面１とマット設置部２２の裏面との間の隙間を埋めるような形状となっている。
【００２８】
また、軒側端部２０は、マット設置部２２の軒側先端から下向きに伸びる垂下片２３と、この垂下片２３の下端を棟側に折り返してなる係合片２４とを備えている。棟側端部２１は、マット設置部２２の棟側先端から棟側に延びる軒側開放の略Ｕ字形の係合溝片２５と、この係合溝片２５の先端を棟側に折り返してなる略Ｚ字形の固定片２６とを備えている。
【００２９】
苔マット４は、例えば合成樹脂製の複数の線材を絡み合わせた網状体の空隙部分に紙や不織布等の苔定着材を充填してなる基盤部４０と、この基盤部４０に例えばスナゴケやハイゴケ等を植え付けてなる苔部４１とからなる。なお、苔マット４としては、このような構造のものだけに限定されるものではなく、苔を植え付けたマット状のものであればどのような構造のものであっても良い。
【００３０】
そして、苔マット４・・は、下地材３のマット設置部２２のほぼ全面を覆うように、マット設置部２２上に横並びに設置され、その軒側端部が下地材３の軒側端部２０に沿って取り付けられた止付具３０によって保持された状態で、複数の固定具５・・によって下地材３のマット設置部２２の上面に止め付けられていて、例えば強風や激しい降雨、施工時やメンテナンス時の踏み付け等によって、苔マット４・・がずれ動いて局部的に盛り上がったり、部分的に捲れ上がるといった不具合を防止している。
【００３１】
止付具３０は、図３及び図４に示すように、例えば金属製の帯板を略Ｌ字状に折曲形成してなり、下地材３における軒側端部２０の垂下片２３にリベット３１・・によって取り付けられて、苔マット４・・の桁行方向に沿った軒側端部に当接して苔マット４・・の勾配方向への滑りを防止する立ち上がり部３２と、この立ち上がり部３２の上端から棟側に延出して、苔マット４・・の桁行方向に沿った軒側上面を押さえ付ける押し付け部３３とを備えている。
【００３２】
また、止付具３０には、立ち上がり部３２と押し付け部３３に跨るようにして、複数の水抜き孔３４・・が桁行方向に間隔をあけて形成される。このような水抜き孔３４・・を形成することで、苔マット４・・に溜まった過剰な雨水を、勾配を利用しながら良好に排水することができる。
【００３３】
固定具５は、図５及び図６に示すように、苔マット４を装着するためのマット装着部材５０と、このマット装着部材５０に装着した苔マット４の外れを防止するマット抜止部材５１とを備えている。
【００３４】
マット装着部材５０は、下地材３のマット設置部２２に下孔加工無しでねじ込み可能とされた螺子部５２と、この螺子部５２のねじ込みによって生じる下地材３のマット設置部２２の貫通孔５３部分を止水する止水部５４と、螺子部５２のねじ込みによって下地材３のマット設置部２２の上面から立ち上がって、下地材３のマット設置部２２の上面に設置する苔マット４に挿通させる棒状部５５とを一体化してなる。
【００３５】
螺子部５２は、その基端側に、六角インパクトソケット等の回転操作用の工具を係合する例えば六角ナット状の係合体５６が一体成型されている。従って、この係合体５６に工具を係合して螺子部５２を回転操作することで、下地材３のマット設置部２２に対して下孔加工無しでねじ込むことができるようになっている。
【００３６】
止水部５４は、螺子部５２の基端側に外嵌固定された発泡樹脂製又はゴム製の肉厚リング状のパッキン５７と、このパッキン５７と係合体５６とによって挟み込まれた状態で、パッキン５７に被せられた例えば金属製の椀状のカバー５８とからなる。この止水部５４においては、螺子部５２を下地材３のマット設置部２２に上方からねじ込むと、係合体５６及びカバー５８の押し付けによってパッキン５７が下地材３のマット設置部２２の上面に圧縮状態で当接して、螺子部５２のねじ込みによって生じたマット設置部２２の貫通孔５３の上端付近を塞ぐとともに、カバー５８の周端部がマット設置部２２の上面に当接することで、パッキン５７の圧縮量を規制するようになっている。
【００３７】
棒状部５５は、係合体５６の上面に突設されて、螺子部５２と略同軸上に配されたピンからなり、その外周面が平滑で、先細り状の先端部分を有している。従って、棒状部５５としてボルト等を用いる場合のような砂利や定着用繊維、植物の根等の引っ掛かりをなくして、苔マット４に容易に挿通させることができる。なお、棒状部５５の長さは、苔マット４の厚さと略同等か若しくは僅かに長くなっている。
【００３８】
マット抜止部材５１は、マット装着部材５０の棒状部５５における苔マット４の上面から突出した先端部分に係合して、苔マット４の上面を押さえ付ける例えば金属製の薄肉リング状のプッシュナットからなる。具体的に、マット抜止部材５１は、その中央貫通孔５９を棒状部５５の先端部分に宛がいながら、下方へ圧入することで、中央貫通孔５９周りが変形して棒状部５５に外嵌するようになっている。
【００３９】
次に、上記構成の緑化瓦２における固定具５・・を使用した下地材３への苔マット４・・の止め付け作業について説明する。まず、下地材３のマット設置部２２に対して、複数の固定具５・・のマット装着部材５０を適宜間隔をあけながら取り付ける。この取り付けに際しては、マット装着部材５０の螺子部５２を下地材３のマット設置部２２に上方からねじ込むようにしている。この場合、係合体５６に係合した六角インパクトソケットによって、下地材３のマット設置部２２の上面に押し付けた螺子部５２を回転させることで、下地材３のマット設置部２２に下孔を加工することなく直接ねじ込んでいる。この螺子部５２のねじ込みと同時に、止水部５４のパッキン５７が圧縮状態で下地材３のマット設置部２２の上面に当接して、螺子部５２のねじ込みにより生じた貫通孔５３部分を塞ぐ。これにより、螺子部５２と下地材３とが異種金属からなる場合であっても、これら異種金属同士が接触する貫通孔５３部分への水分の浸透が阻止されて、異種金属接触腐食を防止することができる。また、止水部５４のカバー５８の周端部が下地材３のマット設置部２２の上面に当接して、螺子部５２の過度のねじ込みを防いで、パッキン５７の圧縮量を規制する。これにより、パッキン５７が傷付くことがなく、止水性を良好に維持することができる。
【００４０】
このようにして、複数の固定具５・・のマット装着部材５０・・を下地材３に取り付けると、マット装着部材５０・・の棒状部５５・・が下地材３のマット設置部２２の上面から立ち上がった状態となる。続いて、これら棒状部５５・・を苔マット４・・に挿通させるようにして、苔マット４・・を下地材３のマット設置部２２に設置する。そして、苔マット４・・の上面より突出した棒状部５５・・の先端部分に、マット抜止部材５１・・を夫々係合して、苔マット４・・の上面を押さえ付けることで、棒状部５５・・からの苔マット４・・の抜けを防止して、固定具５・・を使用した止め付け作業が完了する。
【００４１】
このように、上記構成の緑化瓦２においては、苔マット４・・の止め付けを下地材３の上面側からの作業だけで簡単に済ませることができ、止め付け作業の効率化を図ることができる。なお、苔マット４・・の交換等の際は、マット抜止部材５１・・を棒状部５５・・から取り外せば、簡単に苔マット４・・を取り外すことができ、メンテナンスも容易になっている。
【００４２】
緑化瓦２・・の屋根下地面１への施工に際しては、図２に示すように、一般の瓦葺きと同様に、桁行方向に沿って敷設しながら、軒側から棟側へ向かって順次葺いていく。このとき、勾配方向に隣接する緑化瓦２、２は、それら下地材３、３の軒側端部２０と棟側端部２１とを互いに係合させることで連結されている。なお、各緑化瓦２・・の下地材３は、屋根下地面にビス止めされている。
【００４３】
この施工状態において、緑化瓦２における下地材３のマット設置部２２と屋根下地面１との間の隙間には、断熱材１３が介在していて、下地材３のマット設置部２２を貫通した固定具５・・の螺子部５２・・が屋根下地材１に干渉せず、屋根下地面１の防水層が傷付かないようになっている。なお、緑化瓦２は、基本的には予め工場等において下地材３に苔マット４・・を取り付けた状態で現場に搬入されて施工されるが、上記したように、苔マット４・・の止め付けを下地材３の上面側から行うことができるので、屋根下地面１に下地材３を先に設置して、後から苔マット４・・を止め付けることも可能であり、状況に応じた現場施工を実現できる。
【００４４】
この発明は、上記実施形態に限定されるものではなく、この発明の範囲内で上記実施形態に多くの修正及び変更を加え得ることは勿論である。例えば、上記実施形態の緑化瓦においては、植栽マットとして苔マットを用いていたが、必ずしも苔マットに限らず芝生やその他植物を植栽した植栽マット、さらには保水性を有する人工緑化物をマット状に形成したものを用いるようにしても良い。
【図面の簡単な説明】
【００４５】
【図１】この発明の一実施形態に係る緑化瓦を並設した勾配屋根の部分破断正面図である。
【図２】勾配屋根の縦断面図である。
【図３】緑化瓦の分解斜視図である。
【図４】緑化瓦の斜視図である。
【図５】固定具の分解斜視図である。
【図６】固定具による苔マットの止め付け状態を示す縦断面図である。
【符号の説明】
【００４６】
１・・屋根下地面、２・・緑化瓦、３・・下地材、４・・植栽マット（苔マット）、５・・固定具、２０・・軒側端部、２１・・棟側端部、２２・・マット設置部、５０・・マット装着部材、５１・・マット抜止部材、５２・・螺子部、５３・・貫通孔、５４・・止水部、５５・・棒状部、５６・・係合体、５７・・パッキン、５８・・カバー
【図１】
2010144407.tif 000003
【図２】
2010144407.tif 000004
【図３】
2010144407.tif 000005
【図４】
2010144407.tif 000006
【図５】
2010144407.tif 000007
【図６】
2010144407.tif 000008